(57)【要約】【課題】補強筋の作製に係る作業手間を軽減するとともに、補強筋を構成する各部品を正確に接合することができ、従来に比して優れた補強効果を発揮することが可能な補強筋および補強筋の作製方法の提供。【解決手段】外装材１内部に埋設される補強筋２であり、補強金網２ａおよび補強リブ２ｂを備え、補強リブ２ｂは、補強金網２ａ両端部に一体形成された薄板部３と、この薄板部３端部を複数回折り返し重合してなる重合部４とを備え、補強リブ２ｂの長さ方向両端には、重合部４に外挿され薄板部３に係合するアンカー金具５と、これらアンカー金具５に形成されたボルト挿通孔６，７に挿通され、先端部を外装材１裏面に突出させるためのボルト部８とが設けられている。これにより、従来のような溶接作業の手間を省略して補強筋を得ることができ、各部品を正確に接合した状態の補強筋を得ることができる。【選択図】図１
2008169574.tif 000002
【特許請求の範囲】
【請求項１】
外装材の内部に埋設される金網状の補強筋において、
複数の多角形状の網目を有する補強金網と、この補強金網の両端部に設けられる補強リブとからなり、
前記補強リブは、前記補強金網の両端部に一体形成され、補強金網に対して直角に折り曲げられる薄板部と、この薄板部の端部を複数回折り返し重合して形成される重合部とを備えており、
前記補強リブの長さ方向両端には、前記重合部に外挿されるとともに薄板部に係合するアンカー金具と、これらアンカー金具に形成されたボルト挿通孔に挿通され、先端部を外装材裏面に突出させるためのボルト部とが設けられていることを特徴とする補強筋。
【請求項２】
請求項１に記載の補強筋において、
前記アンカー金具は、前記重合部の長さ方向に沿って外挿されるとともに、前記薄板部に沿って開口する開口溝を有する金具本体と、この開口溝に沿うようにして金具本体に一体形成され、前記薄板部を両面から挟み込む挟込板部とを備えており、
これら挟込板部は、前記薄板部の長さ方向両端にそれぞれ形成される係合孔部に重なり合う孔部と、この孔部の内周面に沿って所定間隔で形成された複数のかしめ片とをそれぞれ備えており、これら複数のかしめ片は、前記薄板部の係合孔部に向かってかしめられることによって、この係合孔部内で交互に噛み合うようにして係合していることを特徴とする補強筋。
【請求項３】
請求項２に記載の補強筋において、
前記ボルト部は、長寸部と短寸部とを備えることによって略Ｌ字状に形成されており、
前記長寸部は、前記ボルト挿通孔に挿通され、前記短寸部は、先端が一方の挟込板部の孔部に嵌合していることを特徴とする補強筋。
【請求項４】
請求項３に記載の補強筋において、
前記ボルト挿通孔は、前記金具本体を構成し、かつ前記薄板部および重合部の並設方向に沿って対向する側壁部に形成され、これら対向する側壁部に形成されたボルト挿通孔のうち、一方のボルト挿通孔の内径寸法は、他方のボルト挿通孔の内径寸法よりも大きく設定されていることを特徴とする補強筋。
【請求項５】
外装材の内部に埋設される金網状の補強筋の作製方法であって、
複数の多角形状の網目を有する補強金網と、この補強金網の両端部に設けられる薄板部とを一体形成するとともに、この薄板部の端部を複数回折り返し重合して重合部を形成することによって補強リブを形成しておき、
この補強リブの長さ方向両端に、ボルト挿通孔を有するアンカー金具をそれぞれ設けるとともに、これらアンカー金具のボルト挿通孔に、先端部を外装材裏面に突出させるためのボルト部を挿通させ、その後、前記薄板部を補強金網に対して直角に折り曲げることを特徴とする補強筋の作製方法。
【発明の詳細な説明】
【技術分野】
【０００１】
本発明は、外装材の内部に埋設される金網状の補強筋および補強筋の作製方法に関する。
【背景技術】
【０００２】
近年、住宅の構築についてはその工業化が進み、例えば壁や床、屋根といった構成要素を予め工場にてパネル化しておき、施工現場でこれらのパネルを組み立てることにより住宅を構築するパネル工法が一部に採用されている（例えば、特許文献１参照）。
このようなパネル工法では、建物の構造壁となる壁パネルと、防水透湿シートや胴縁を介して壁パネルに取り付けられる外装材とから外装材付き壁パネルを構成し、この外装材付き壁パネルを現場へ搬送することで、現場での施工効率を大幅に向上している。
【特許文献１】特開２００１−１５２５６６号公報
【発明の開示】
【発明が解決しようとする課題】
【０００３】
ところで、近年、上述のような外装材として、例えば軽量気泡コンクリートや、その他のコンクリート成形品等の建築用資材を用いたいという要望があった。すなわち、このような建築用資材からなる外装材は、例えばポルトランドセメントと、石英及び溶融シリカを含む珪砂と、水とを混練してスラリーを製造し、このスラリーを型枠に流し込み、さらに高温、高圧下のオートクレーブ内で蒸気養生させることにより製造されており、断熱性や防水性、防腐性、耐候性、デザイン性等に優れる。
また、このような外装材には、金網状の補強金網や、この補強金網の端部に溶接されるアンカー棒鋼や、このアンカー棒鋼に溶接されて外装材裏面に突出するボルト部等からなる補強筋が埋設されて補強が成されている。そして、このボルト部には、外装材を外壁表面に取り付けるための取付金具を連結できるようになっている。
【０００４】
ところが、このような補強筋を作製するには、補強金網とアンカー棒鋼同士や、アンカー棒鋼とボルト部同士を溶接して接合しなければならず手間である。
その上、例えば補強金網の端部に沿って真っ直ぐアンカー棒鋼を溶接できなかったり、補強筋に備えられたボルト部全てが同じ方向を向くように溶接できなかった場合は、ボルト部に連結する取付金具の位置ずれや、想定した強度を得られない等の問題が生じてしまうため、補強筋を構成する各部品をより正確に接合したいという要望があった。
【０００５】
本発明の課題は、補強筋の作製に係る作業手間を軽減するとともに、補強筋を構成する各部品を正確に接合することができ、従来に比して優れた補強効果を発揮することが可能な補強筋および補強筋の作製方法を提供することを目的とする。
【課題を解決するための手段】
【０００６】
請求項１に記載の発明は、例えば図１〜図６に示すように、外装材１の内部に埋設される金網状の補強筋２において、
複数の多角形状の網目を有する補強金網２ａと、この補強金網２ａの両端部に設けられる補強リブ２ｂとからなり、
前記補強リブ２ｂは、前記補強金網２ａの両端部に一体形成され、補強金網２ａに対して直角に折り曲げられる薄板部３と、この薄板部３の端部を複数回折り返し重合して形成される重合部４とを備えており、
前記補強リブ２ｂの長さ方向両端には、前記重合部４に外挿されるとともに薄板部３に係合するアンカー金具５と、これらアンカー金具５に形成されたボルト挿通孔６，７に挿通され、先端部を外装材１裏面に突出させるためのボルト部８とが設けられていることを特徴とする。
【０００７】
請求項１に記載の発明によれば、前記補強金網２ａおよび薄板部３同士が一体形成されるとともに、前記補強リブ２ｂが、前記薄板部３と、この薄板部３の端部を折り返し重合して形成された重合部４とを備えてなり、さらに、この補強リブ２ｂの長さ方向両端に、前記ボルト部８がアンカー金具５を介して設けられているので、従来のような溶接作業の手間を省略して補強筋２を得ることができ、従来に比して、補強筋２を作製する際の手間を軽減することができる。
しかも、このように補強金網２ａおよび薄板部３同士が一体形成され、この薄板部３に係合するアンカー金具５を介して前記ボルト部８が設けられているので、前記アンカー金具５を薄板部３に対して位置ずれなく係合させるだけで、各部品を正確に接合した状態の補強筋２を得ることができる。これによって、従来のような各部品の接合に係る諸問題を極力解消することができ、従来に比して、補強筋２による外装材１の優れた補強効果を発揮することが可能となる。
【０００８】
請求項２に記載の発明は、例えば図２〜図４に示すように、請求項１に記載の補強筋２において、
前記アンカー金具５は、前記重合部４の長さ方向に沿って外挿されるとともに、前記薄板部３に沿って開口する開口溝５０ａを有する金具本体５０と、この開口溝５０ａに沿うようにして金具本体５０に一体形成され、前記薄板部３を両面から挟み込む挟込板部５１，５２とを備えており、
これら挟込板部５１，５２は、前記薄板部３の長さ方向両端にそれぞれ形成される係合孔部３ａに重なり合う孔部５１ａ，５２ａと、この孔部５１ａ，５２ａの内周面に沿って所定間隔で形成された複数のかしめ片５１ｂ，５２ｂとをそれぞれ備えており、これら複数のかしめ片５１ｂ，５２ｂは、前記薄板部３の係合孔部３ａに向かってかしめられることによって、この係合孔部３ａ内で交互に噛み合うようにして係合していることを特徴とする。
【０００９】
請求項２に記載の発明によれば、前記挟込板部５１，５２の複数のかしめ片５１ｂ，５２ｂは、前記薄板部３の係合孔部３ａに向かってかしめられることによって、この係合孔部３ａ内で交互に噛み合うようにして係合しているので、前記挟込板部５１，５２を、前記薄板部３に対して強固に係合させることが可能となり、前記補強リブ２ｂに対するアンカー金具５の位置ずれを確実に防ぐことができる。
また、前記アンカー金具５は、前記重合部４の長さ方向に沿って外挿されるとともに、前記薄板部３に沿って開口する開口溝５０ａを有する金具本体５０と、この開口溝５０ａに沿うようにして金具本体５０に一体形成され、前記薄板部３を両面から挟み込む挟込板部５１，５２とを備えているので、前記金具本体５０を、前記係合孔部３ａ重合部４の長さ方向に沿って外挿するだけで、前記アンカー金具５を、前記補強リブ２ｂに対して容易かつ確実に設けることができる。
さらに、前記挟込板部５１，５２は、前記薄板部３の長さ方向両端にそれぞれ形成される係合孔部３ａに重なり合う孔部５１ａ，５２ａを備えているので、これら係合孔部３ａと孔部５１ａ，５２ａとが重なり合うように前記金具本体５０を重合部４に沿って外挿させるだけで、前記アンカー金具５の位置決めを行うことが可能となり、前記補強リブ２ｂに対して正確な位置に設けることができる。
【００１０】
請求項３に記載の発明は、例えば図５に示すように、請求項２に記載の補強筋２において、
前記ボルト部８は、長寸部８ａと短寸部８ｂとを備えることによって略Ｌ字状に形成されており、
前記長寸部８ａは、前記ボルト挿通孔６，７に挿通され、前記短寸部８ｂは、先端が一方の挟込板部５１の孔部５１ａに嵌合していることを特徴とする。
【００１１】
請求項３に記載の発明によれば、前記長寸部８ａは、前記ボルト挿通孔６，７に挿通され、前記短寸部８ｂは、先端が一方の挟込板部５１の孔部５１ａに嵌合しているので、前記アンカー金具５に対するボルト部８の位置ずれを確実に防ぐことができる。
【００１２】
請求項４に記載の発明は、例えば図２に示すように、請求項３に記載の補強筋２において、
前記ボルト挿通孔６，７は、前記金具本体５０を構成し、かつ前記薄板部３および重合部４の並設方向に沿って対向する側壁部５０ｂ，５０ｃに形成され、これら対向する側壁部５０ｂ，５０ｃに形成されたボルト挿通孔６，７のうち、一方のボルト挿通孔６（７）の内径寸法は、他方のボルト挿通孔７（６）の内径寸法よりも大きく設定されていることを特徴とする。
【００１３】
請求項４に記載の発明によれば、前記対向する側壁部５０ｂ，５０ｃに形成されたボルト挿通孔６，７のうち、一方のボルト挿通孔６（７）の内径寸法が、他方のボルト挿通孔７（６）の内径寸法よりも大きく設定されていることから、前記ボルト部８をボルト挿通孔６，７に挿通させる際に、前記ボルト部８の長寸部８ａを若干斜めに傾けながら挿通させることができるので、長寸部８ａが傾いた分、短寸部８ｂの先端を挟込板部５１の表面から離間させることができる。これによって、前記短寸部８ｂの先端が挟込板部５１に引っ掛かることを防ぐことができるので、この短寸部８ｂの先端を、前記一方の挟込板部５１の孔部５１ａに対して容易かつ確実に嵌合させることができる。
【００１４】
請求項５に記載の発明は、例えば図１〜図６に示すように、外装材１の内部に埋設される金網状の補強筋２の作製方法であって、
複数の多角形状の網目を有する補強金網２ａと、この補強金網２ａの両端部に設けられる薄板部３とを一体形成するとともに、この薄板部３の端部を複数回折り返し重合して重合部４を形成することによって補強リブ２ｂを形成しておき、
この補強リブ２ｂの長さ方向両端に、ボルト挿通孔６，７を有するアンカー金具５をそれぞれ設けるとともに、これらアンカー金具５のボルト挿通孔６，７に、先端部を外装材１裏面に突出させるためのボルト部８を挿通させ、その後、前記薄板部３を補強金網２ａに対して直角に折り曲げることを特徴とする。
【００１５】
請求項５に記載の発明によれば、前記補強金網２ａおよび薄板部３同士を一体形成するとともに、この薄板部３の端部を複数回折り返し重合して重合部４を形成することによって補強リブ２ｂを形成しておき、さらに、この補強リブ２ｂの長さ方向両端に、前記ボルト部８をアンカー金具５を介して設けるので、従来のような溶接作業の手間を省略して補強筋２を得ることができ、従来に比して、補強筋２を作製する際の手間を軽減することができる。
しかも、このように補強金網２ａおよび薄板部３同士を一体形成しておき、この薄板部３に係合するアンカー金具５を介して前記ボルト部８を設けるので、前記アンカー金具５を薄板部３に対して位置ずれなく係合させるだけで、各部品を正確に接合した状態の補強筋２を得ることができる。これによって、従来のような各部品の接合に係る諸問題を極力解消することができ、従来に比して、補強筋２による外装材１の優れた補強効果を発揮することが可能となる。
さらに、前記補強リブ２ｂの長さ方向両端にアンカー金具５を設けるとともに、これらアンカー金具５にボルト部８を挿通させた後に、前記薄板部３を補強金網２ａに対して直角に折り曲げるので、この薄板部３を直角に折り曲げる作業と、前記ボルト部８の先端部を外装材１裏面に突出させるための作業とを同時に行うことができ、効率良く補強筋２の作製を行うことができる。
【発明の効果】
【００１６】
本発明によれば、補強金網および薄板部同士が一体形成されるとともに、補強金網の両端部に設けられる補強リブが、薄板部と、この薄板部の端部を折り返し重合して形成された重合部とを備えてなり、さらに、この補強リブの長さ方向両端に、先端部を外装材裏面に突出させるためのボルト部がアンカー金具を介して設けられているので、従来のような溶接作業の手間を省略して補強筋を得ることができ、従来に比して、補強筋を作製する際の手間を軽減することができる。
しかも、このように補強金網および薄板部同士が一体形成され、この薄板部に係合するアンカー金具を介してボルト部が設けられているので、アンカー金具を薄板部に対して位置ずれなく係合させるだけで、各部品を正確に接合した状態の補強筋を得ることができる。これによって、従来のような各部品の接合に係る諸問題を極力解消することができ、従来に比して、補強筋による外装材の優れた補強効果を発揮することが可能となる。
【発明を実施するための最良の形態】
【００１７】
以下、図面を参照して本発明の実施の形態について説明する。
【００１８】
本実施の形態の補強筋２は、図１〜図６に示すように、外装材１の内部に埋設されるものであり、複数の多角形状の網目を有する補強金網２ａと、この補強金網２ａの両端部に設けられる補強リブ２ｂとからなり、前記補強リブ２ｂは、前記補強金網２ａの両端部に一体形成され、補強金網２ａに対して直角に折り曲げられる薄板部３と、この薄板部３の端部を複数回折り返し重合して形成される重合部４とを備えており、前記補強リブ２ｂの長さ方向両端には、前記重合部４に外挿されるとともに薄板部３に係合するアンカー金具５と、これらアンカー金具５に形成されたボルト挿通孔６，７に挿通され、先端部を外装材１裏面に突出させるためのボルト部８とが設けられている。
【００１９】
なお、本実施の形態の外装材１は、例えばポルトランドセメントと、石英及び溶融シリカを含む珪砂と、水とを混練してスラリーを製造し、このスラリーを型枠に流し込み、さらに高温、高圧下のオートクレーブと呼ばれる耐熱耐圧密閉蒸気窯内で蒸気養生させることにより製造されたコンクリート成形品である。
また、本実施の形態の補強筋２は、前記スラリーを型枠に流し込むに際して、予め型枠内に配置しておくことによって、外装材１の内部に埋設できるようになっている。
【００２０】
ここで、前記補強金網２ａは、例えば、ステンレス、スチール、アルミ等の鋼板を機械加工により千鳥状に切れ目を入れ、これを広げて形成したものであり、菱形、あるいは亀甲状の複数の網目を有しているとともに、その両端部に、前記薄板部３が一体形成されている。
【００２１】
また、これら補強金網２ａおよび薄板部３同士を一体形成する際は、図示はしないが、所定の鋼材からなる板材を、補強金網２ａを形成する部分と薄板部３を形成する部分とに区分けしてから、補強金網２ａを形成する部分に千鳥状に切れ目を入れ、広げて網目を形成するとともに、薄板部３を形成する部分を、その長さ方向に沿って所定の幅寸法に切断することによって一体形成できるようになっている。
【００２２】
さらに、このように形成された薄板部３の端部を、図２に示すように、複数回折り返し重合することによって前記重合部４が形成されている。また、前記薄板部３の長さ方向両端の所定の位置には、前記アンカー金具５を係合させるための係合孔部３ａが、前記重合部４と重ならないようにして形成されている。
なお、本実施の形態の重合部４は、３回分折り返し重合して形成されており、後述する金具本体５０の内部に納まる幅寸法および厚さ寸法を有している。
【００２３】
このように前記薄板部３および重合部４を形成することによって、前記補強金網２ａの両端部に、これら薄板部３および重合部４を備えてなる前記補強リブ２ｂが設けられた状態となる。そして、このように薄板部３を複数回折り返し重合して重合部４を設けることによって、補強リブ２ｂの強度を高めることができるので、外装材１の強度や剛性を向上させることができ、外装材１を確実に補強できるようになる。
【００２４】
一方、前記アンカー金具５は、例えば、ステンレス、スチール、アルミ等の鋼板を加工してなり、図２〜図４に示すように、前記重合部４の長さ方向に沿って外挿されるとともに、前記薄板部３に沿って開口する開口溝５０ａを有する金具本体５０と、この開口溝５０ａに沿うようにして金具本体５０に一体形成され、前記薄板部３を両面から挟み込む挟込板部５１，５２とを備えている。
また、前記ボルト挿通孔６，７は、前記金具本体５０を構成し、かつ前記薄板部３および重合部４の並設方向に沿って対向する側壁部５０ｂ，５０ｃに形成されている。
【００２５】
前記金具本体５０は、図２に示すように、この金具本体５０の下部に前記重合部４が位置しており、この重合部４の上部は空隙となっている。そして、この空隙を介して前記ボルト挿通孔６，７が形成された状態となっている。
【００２６】
また、前記挟込板部５１，５２は、前記薄板部３の長さ方向両端にそれぞれ形成される係合孔部３ａに重なり合う孔部５１ａ，５２ａと、この孔部５１ａ，５２ａの内周面に沿って所定間隔で形成された複数のかしめ片５１ｂ，５２ｂとをそれぞれ備えており、これら複数のかしめ片５１ｂ，５２ｂは、前記薄板部３の係合孔部３ａに向かってかしめられることによって、この係合孔部３ａ内で交互に噛み合うようにして係合している。
【００２７】
すなわち、一方の挟込板部５１の複数のかしめ片５１ｂは、図２中において孔部５１ａの内周面に沿って横向きに設けられ、他方の挟込板部５２の複数のかしめ片５２ｂは、図２中において孔部５２ａの内周面に沿って縦向きに設けられており、前記係合孔部３ａに向かってかしめられた際に交互に噛み合うように形成されている。
【００２８】
また、これら挟込板部５１，５２の孔部５１ａ，５２ａの内径寸法は、前記係合孔部３ａに対して若干小さくなるように形成されている。これによって、前記複数のかしめ片５１ｂ，５２ｂを、前記係合孔部３ａに向かってかしめ易くなる。
なお、前記複数のかしめ片５１ｂ，５２ｂをかしめる際は、例えば、前記挟込板部５１，５２の孔部５１ａ，５２ａの内径寸法よりも若干小さい外径寸法を有するような専用のかしめ治具（図示せず）を用いてかしめるようにしている。
【００２９】
このようなアンカー金具５によれば、前記挟込板部５１，５２の複数のかしめ片５１ｂ，５２ｂは、前記薄板部３の係合孔部３ａに向かってかしめられることによって、この係合孔部３ａ内で交互に噛み合うようにして係合しているので、前記挟込板部５１，５２を、前記薄板部３に対して強固に係合させることが可能となり、前記補強リブ２ｂに対するアンカー金具５の位置ずれを確実に防ぐことができるようになっている。
【００３０】
また、前記アンカー金具５は、前記重合部４の長さ方向に沿って外挿されるとともに、前記薄板部３に沿って開口する開口溝５０ａを有する金具本体５０と、この開口溝５０ａに沿うようにして金具本体５０に一体形成され、前記薄板部３を両面から挟み込む挟込板部５１，５２とを備えているので、前記金具本体５０を、前記係合孔部３ａ重合部４の長さ方向に沿って外挿するだけで、前記アンカー金具５を、前記補強リブ２ｂに対して容易かつ確実に設けることが可能となっている。
【００３１】
さらに、前記挟込板部５１，５２は、前記薄板部３の長さ方向両端にそれぞれ形成される係合孔部３ａに重なり合う孔部５１ａ，５２ａを備えているので、これら係合孔部３ａと孔部５１ａ，５２ａとが重なり合うように前記金具本体５０を重合部４に沿って外挿させるだけで、前記アンカー金具５の位置決めを行うことが可能となり、前記補強リブ２ｂに対して正確な位置に設けることができる。
【００３２】
一方、前記ボルト部８は、図５に示すように、長寸部８ａと短寸部８ｂとを備えることによって略Ｌ字状に形成されており、前記長寸部８ａは、前記ボルト挿通孔６，７に挿通され、前記短寸部８ｂは、先端が一方の挟込板部５１の孔部５１ａに嵌合している。これによって、前記アンカー金具５に対するボルト部８の位置ずれを確実に防ぐことができるようになっている。
【００３３】
なお、本実施の形態のボルト挿通孔６，７のうち、一方のボルト挿通孔６の内径寸法は、他方のボルト挿通孔７の内径寸法よりも大きく設定されている。すなわち、前記ボルト部８をボルト挿通孔６，７に挿通させる際に、前記ボルト部８の長寸部８ａを若干斜めに傾けながら挿通させることができるので、長寸部８ａが傾いた分、短寸部８ｂの先端を挟込板部５１の表面から離間させることができる。なお、他方のボルト挿通孔７の内径寸法を、一方のボルト挿通孔６の内径寸法よりも大きく設定しても良い。
これによって、前記ボルト部８をボルト挿通孔６，７に挿通させるに際して短寸部８ｂの先端が挟込板部５１に引っ掛かることを防ぐことができるので、この短寸部８ｂの先端を、前記一方の挟込板部５１の孔部５１ａに対して容易かつ確実に嵌合させることができるようになっている。
【００３４】
以上のように、本実施の形態の補強筋２によれば、前記補強金網２ａおよび薄板部３同士が一体形成されるとともに、前記補強リブ２ｂが、前記薄板部３と、この薄板部３の端部を折り返し重合して形成された重合部４とを備えてなり、さらに、この補強リブ２ｂの長さ方向両端に、前記ボルト部８がアンカー金具５を介して設けられているので、従来のような溶接作業の手間を省略して補強筋２を得ることができ、従来に比して、補強筋２を作製する際の手間を軽減することができる。
しかも、このように補強金網２ａおよび薄板部３同士が一体形成され、この薄板部３に係合するアンカー金具５を介して前記ボルト部８が設けられているので、前記アンカー金具５を薄板部３に対して位置ずれなく係合させるだけで、各部品を正確に接合した状態の補強筋２を得ることができる。これによって、従来のような各部品の接合に係る諸問題を極力解消することができ、従来に比して、補強筋２による外装材１の優れた補強効果を発揮することが可能となる。
【００３５】
次に、本実施の形態の補強筋２の作製方法について説明する。
【００３６】
まず、所定の鋼材からなる板材を、補強金網２ａを形成する部分と薄板部３を形成する部分とに区分けしてから、補強金網２ａを形成する部分に千鳥状に切れ目を入れ、広げて網目を形成する。また、薄板部３を形成する部分を、その長さ方向に沿って所定の幅寸法に切断する。このようにして、図３に示すように、複数の多角形状の網目を有する補強金網２ａと、この補強金網２ａの両端部に設けられる薄板部３とを一体形成する。
【００３７】
さらに、この薄板部３の端部を、図２に示すように、複数回折り返し重合して重合部４を形成することによって補強リブ２ｂを形成しておく。
また、この重合部４と重ならないように、前記薄板部３の長さ方向両端の所定の位置に、前記アンカー金具５を係合させるための係合孔部３ａを形成しておく。
【００３８】
次いで、図４に示すように、前記補強リブ２ｂの長さ方向両端に、ボルト挿通孔６，７を有するアンカー金具５をそれぞれ設けるようにする。
【００３９】
なお、アンカー金具５を前記補強リブ２ｂに設ける際は、まず、アンカー金具５の金具本体５０を、前記挟込板部５１，５２によって前記薄板部３を両面から挟み込むようにしながら、前記重合部４の長さ方向に沿ってスライドさせるようにして外挿する。
そして、このアンカー金具５の挟込板部５１，５２に形成された孔部５１ａ，５２ａと、前記薄板部３の係合孔部３ａとを重ね合わせるようにして位置決めし、その後、図２に示すように、前記孔部５１ａ，５２ａに形成された複数のかしめ片５１ｂ，５２ｂを、前記係合孔部３ａに向かってかしめて、これら複数のかしめ片５１ｂ，５２ｂが、係合孔部３ａ内で交互に噛み合うように係合させる。
【００４０】
続いて、図５に示すように、このように補強リブ２ｂの長さ方向両端の所定の位置に設けられたアンカー金具５のボルト挿通孔６，７に、先端部を外装材１裏面に突出させるためのボルト部８を挿通させる。
【００４１】
なお、ボルト部８を前記ボルト挿通孔６，７に挿通させる際は、このボルト部８の長寸部８ａを若干斜めに傾けながら挿通させるとともに、長寸部８ａが傾いた分、短寸部８ｂの先端を挟込板部５１の表面から離間させながら、ボルト部８を前記ボルト挿通孔６，７に挿通させる。
そして、前記ボルト部８の短寸部８ｂの先端を一方の挟込板部５１の孔部５１ａに嵌合させて、ボルト部８の位置ずれを防ぐようにする。
【００４２】
その後、図６に示すように、前記ボルト部８が設けられたアンカー金具５を係合させた状態の薄板部３を補強金網２ａに対して直角に折り曲げる。
このようにして補強筋２を作製できるようになっている。そして、このように作製された補強筋２を、外装材１を製造するための材料のスラリーが流し込まれる型枠内に予め配置しておき、スラリーが流し込まれた後、オートクレーブによって蒸気養生等の作業を行って外装材１の内部に埋設して、図１に示すような外装材１を製造する。
【００４３】
以上のように、本実施の形態の補強筋２の作製方法によれば、前記補強金網２ａおよび薄板部３同士を一体形成するとともに、この薄板部３の端部を複数回折り返し重合して重合部４を形成することによって補強リブ２ｂを形成しておき、さらに、この補強リブ２ｂの長さ方向両端に、前記ボルト部８をアンカー金具５を介して設けるので、従来のような溶接作業の手間を省略して補強筋２を得ることができ、従来に比して、補強筋２を作製する際の手間を軽減することができる。
しかも、このように補強金網２ａおよび薄板部３同士を一体形成しておき、この薄板部３に係合するアンカー金具５を介して前記ボルト部８を設けるので、前記アンカー金具５を薄板部３に対して位置ずれなく係合させるだけで、各部品を正確に接合した状態の補強筋２を得ることができる。これによって、従来のような各部品の接合に係る諸問題を極力解消することができ、従来に比して、補強筋２による外装材１の優れた補強効果を発揮することが可能となる。
さらに、前記補強リブ２ｂの長さ方向両端にアンカー金具５を設けるとともに、これらアンカー金具５にボルト部８を挿通させた後に、前記薄板部３を補強金網２ａに対して直角に折り曲げるので、この薄板部３を直角に折り曲げる作業と、前記ボルト部８の先端部を外装材１裏面に突出させるための作業とを同時に行うことができ、効率良く補強筋２の作製を行うことができる。
【図面の簡単な説明】
【００４４】
【図１】本発明の補強筋が外装材の内部に埋設された状態を示す斜視図である。
【図２】アンカー金具を補強リブに設ける際の状態を示す概略図である。
【図３】補強筋の作成過程における一状態を示す斜視図である。
【図４】補強筋の作成過程における一状態を示す斜視図である。
【図５】補強筋の作成過程における一状態を示す斜視図である。
【図６】補強筋の作成過程における一状態を示す斜視図である。
【符号の説明】
【００４５】
１  外装材
２  補強筋
２ａ  補強金網
２ｂ  補強リブ
３  薄板部
４  重合部
５  アンカー金具
６  ボルト挿通孔
７  ボルト挿通孔
８  ボルト部
【図１】
2008169574.tif 000003
【図２】
2008169574.tif 000004
【図３】
2008169574.tif 000005
【図４】
2008169574.tif 000006
【図５】
2008169574.tif 000007
【図６】
2008169574.tif 000008